(57)【特許請求の範囲】
【請求項１】
第１の規格による第１の映像信号と、第２の規格による第２の映像信号とが共用して入力可能な第１の規格による入力端子と、
前記入力端子に入力された映像信号が前記第１の映像信号のとき用の第１の表示形態と、前記第２の映像信号のとき用の第２の表示形態とを記憶する表示形態記憶手段と、
前記入力端子に入力された映像信号が前記第１の映像信号か前記第２の映像信号かを検出する検出手段と、
この検出手段が、前記入力端子に入力された映像信号は前記第１の映像信号と判定したとき、前記第１の規格に基づく信号処理を行い映像データを作成して前記第１の表示形態で表示するための映像信号を作成し、前記入力端子に入力された映像信号は前記第２の映像信号と判定したとき、前記第２の規格に基づく信号処理を行い映像データを作成して前記第２の表示形態で表示するための映像信号を作成して出力する映像信号出力手段と、
を備えた映像信号処理装置。
【請求項２】
更に、前記第１の表示形態は複数の表示形態を持ち、前記入力端子に入力された映像信号のサイドパネルの有無を検出するサイドパネル検出手段と、前記サイドパネル検出手段の検出結果に応じて、前記第１の表示形態が持つ前記複数の表示形態のいずれかを選択し、この選択した表示形態で表示するための映像信号を作成する第１の判定手段を備えた請求項１記載の映像信号処理装置。
【請求項３】
更に、前記第２の表示形態は複数の表示形態を持ち、前記入力端子に入力された映像信号のサイドパネルの有無を検出するサイドパネル検出手段と、前記サイドパネル検出手段の検出結果に応じて、前記第２の表示形態が持つ前記複数の表示形態のいずれかを選択し、この選択した表示形態で表示するための映像信号を作成する第２の判定手段を備えた請求項１記載の映像信号処理装置。
【請求項４】
前記第１の規格はＨＤＭＩであり、前記第２の規格はＭＨＬであり、
前記入力端子に入力された映像信号がＨＤＭＩ信号かＭＨＬ信号かを判定する信号判定手段を更に備えた請求項１乃至３のいずれか１項に記載の映像信号処理装置。
【請求項５】
更に、前記第１の表示形態と前記第２の表示形態とを設定させるためのＧＵＩを生成するＧＵＩ生成手段と、
前記ＧＵＩ生成手段によるＧＵＩに対してユーザが設定した表示形態を前記表示形態記憶手段に記憶させる手段とを備えた請求項１乃至４のいずれか１項に記載の映像信号処理装置。
【請求項６】
更に、予め設定された垂直方向または水平方向に切り出す位置を調整する値に応じて、垂直方向または水平方向に切り出す位置を調整する手段を備えた請求項１乃至５のいずれか１項に記載の映像信号処理装置。
【請求項７】
前記映像信号出力手段から出力された前記映像信号を表示する表示手段を備えた請求項１乃至６のいずれか１項に記載の映像信号処理装置。
【請求項８】
第１の規格による第１の映像信号と、第２の規格による第２の映像信号とが共用して入力可能な第１の規格による入力端子と、前記入力端子に入力された映像信号が前記第１の映像信号のとき用の第１の表示形態と、前記第２の映像信号のとき用の第２の表示形態とを記憶する表示形態記憶手段と、を用いる映像信号処理方法であって、
前記入力端子に入力された映像信号が前記第１の映像信号か前記第２の映像信号かを検出し、
前記検出により、前記入力端子に入力された映像信号は前記第１の映像信号と判定したとき、前記第１の規格に基づく信号処理を行い映像データを作成して前記第１の表示形態で表示するための映像信号を作成し、前記入力端子に入力された映像信号は前記第２の映像信号と判定したとき、前記第２の規格に基づく信号処理を行い映像データを作成して前記第２の表示形態で表示するための映像信号を作成して出力する、
映像信号処理方法。
【発明の詳細な説明】
【技術分野】
【０００１】
この発明は、複数種類の映像入力ソースが入力され、この入力された映像入力ソースの種類に応じた表示用の映像信号を作成する映像信号処理装置および映像信号処理方法に関する。
【背景技術】
【０００２】
従来の黒帯や字幕が存在する／存在しない等の組合せで種類を分けた、複数種類の映像入力ソースが入力され、この入力された映像入力ソースの種類に応じた表示用の映像信号を作成する映像信号処理装置が知られている（例えば、特許文献１や２を参照）。
【先行技術文献】
【特許文献】
【０００３】
【特許文献１】特開２００８−１０３９７４号公報
【特許文献２】特開２００６−２２９７８１号公報
【発明の概要】
【発明が解決しようとする課題】
【０００４】
しかし、従来の映像信号処理装置においては、ユーザは映像機器（ＤＶＤレコーダやＨＤＤレコーダ等）からの第１の規格（例えばＨＤＭＩ）による第１の映像信号（ＨＤＭＩ信号）であれ、スマートフォンからの第２の規格（例えばＭＨＬ）による第２の映像信号（ＭＨＬ信号）であれ、手間なく、希望した映像サイズで視聴することができないという問題があった。
【課題を解決するための手段】
【０００５】
上記の目的を達成するために、この発明においては第１の規格による第１の映像信号と、第２の規格による第２の映像信号とが共用して入力可能な第１の規格による入力端子と、前記入力端子に入力された映像信号が前記第１の映像信号のとき用の第１の表示形態と、前記第２の映像信号のとき用の第２の表示形態とを記憶する表示形態記憶手段と、前記入力端子に入力された映像信号が前記第１の映像信号か前記第２の映像信号かを検出する検出手段と、この検出手段が、前記入力端子に入力された映像信号は前記第１の映像信号と判定したとき、前記第１の規格に基づく信号処理を行い映像データを作成して前記第１の表示形態で表示するための映像信号を作成し、前記入力端子に入力された映像信号は前記第２の映像信号と判定したとき、前記第２の規格に基づく信号処理を行い映像データを作成して前記第２の表示形態で表示するための映像信号を作成して出力する映像信号出力手段と、を備えた映像信号処理装置を提供する。【０００６】
なお、装置に係る本発明は方法に係る発明としても成立し、方法に係る本発明は装置に係る発明としても成立する。【０００７】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【図面の簡単な説明】
【０００８】
【図１】図１はデジタルテレビジョン放送受信装置１１１の主要な信号処理系を示す図である。
【図２】図２は本実施形態の特徴部を説明するための図である。
【図３】図３（ａ）と図３（ｂ）は各表示形態の表示イメージを示す図である。
【図４】図４（ａ）と図４（ｂ）は各表示形態の表示イメージを示す図である。
【図５】図５（ａ）と図５（ｂ）はそれぞれ設定用メニューの一例を示す図である。
【図６】図６は設定用メニューの一例を示す図である。
【発明を実施するための形態】
【０００９】
以下、図面を参照しながら本発明の実施形態について説明する。
【００１０】
なお、この実施形態の映像信号処理装置としては、ＨＤＭＩ（High-Definition Multimedia Interface）の映像信号と、とＭＨＬ（Mobile High-definition Link）の映像信号の両方に対応した映像信号処理装置であればよく、例えば映像信号表示用のモニター，デジタルテレビジョン放送受信装置，ハードディスクレコーダ，セット・トップ・ボックス等であってよい。以下、この実施形態では映像信号処理装置の一例として、デジタルテレビジョン放送受信装置として説明をする。
【００１１】
図１は、デジタルテレビジョン放送受信装置１１１の主要な信号処理系を示している。
【００１２】
すなわち、ＢＳ／ＣＳデジタル放送受信用のアンテナ１４３で受信した衛星デジタルテレビジョン放送信号は、入力端子１４４を介して衛星デジタル放送用のチューナ１４５ａに供給される。
【００１３】
チューナ１４５ａは、制御部１６１からの制御信号により所望のチャンネルの放送信号を選局し、この選局された放送信号をＰＳＫ（Phase Shift Keying）復調器１４５ｂに出力する。
【００１４】
ＰＳＫ復調器１４５ｂは、制御部１６１からの制御信号により、チューナ１４５ａで選局された放送信号を復調し、所望の番組を含んだトランスポートストリームを得て、ＴＳ復号器１４５ｃに出力する。
【００１５】
ＴＳ復号器１４５ｃは、制御部１６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１４７内のＳＴＤバッファ１４７ｆへ出力する。
【００１６】
また、ＴＳ復号器１４５ｃは、デジタル放送により送られているセクション情報を信号処理部１４７内のセクション処理部１４７ｈへ出力する。
【００１７】
また、地上波放送受信用のアンテナ１４８で受信した地上デジタルテレビジョン放送信号は、入力端子１４９を介して地上デジタル放送用のチューナ１５０ａに供給される。
【００１８】
チューナ１５０ａは、制御部１６１からの制御信号により所望のチャンネルの放送信号を選局し、この選局された放送信号をＯＦＤＭ（Orthogonal Frequency Division Multiplexing）復調器１５０ｂに出力する。
【００１９】
ＯＦＤＭ復調器１５０ｂは、制御部１６１からの制御信号により、チューナ１５０ａで選局された放送信号を復調し、所望の番組を含んだトランスポートストリームを得て、ＴＳ復号器１５０ｃに出力する。
【００２０】
ＴＳ復号器１５０ｃは、制御部１６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１４７内のＳＴＤバッファ１４７ｆへ出力する。
【００２１】
また、ＴＳ復号器１５０ｃは、デジタル放送により送られているセクション情報を信号処理部１４７内のセクション処理部１４７ｈへ出力する。
【００２２】
ここで、上記信号処理部１４７は、テレビ放送視聴時には、ＴＳ復号器１４５ｃおよびＴＳ復号器１５０ｃからそれぞれ供給されたデジタルの映像信号及び音声信号に対して、選択的に所定のデジタル信号処理を施し、グラフィック処理部１５４及び音声処理部１５５に出力している。
【００２３】
デジタルテレビジョン放送受信装置１１１は、ＨＤＭＩ／ＭＨＬ共用端子１２１を備えている。このＨＤＭＩ／ＭＨＬ共用端子１２１は、ＨＤＭＩの端子と同じ形状である。そして信号処理部１４７は、ＨＤＭＩ／ＭＨＬ共用端子１２１から入力されたＨＤＭＩ信号またはＭＨＬ信号を処理する際には、制御部１６１から入力されたＨＤＭＩ信号またはＭＨＬ信号から所定のデジタル信号処理を施して表示するための映像信号を作成し、グラフィック処理部１５４及び音声処理部１５５に出力している。
【００２４】
端子２３５は、表示形態９（後述する）のための垂直位置情報が入力され、制御部１６１へ供給する。
【００２５】
制御部１６１には、信号処理部１４７から、番組を取得するための各種データや電子番組ガイド（ＥＰＧ）情報，番組属性情報（番組ジャンル等），字幕情報等（サービス情報、ＳＩやＰＳＩ）が入力されている。
【００２６】
制御部１６１は、これら入力された情報からＥＰＧ，字幕を表示するため画像生成処理を行い、この生成した画像情報をグラフィック処理部１５４へ出力する。
【００２７】
セクション処理部１４７ｈは、ＴＳ復号器１４５ｃ（１５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部１６１へ出力する。
【００２８】
グラフィック処理部１５４は、（１）信号処理部１４７内のＡＶデコーダ１４７ｇから供給されるデジタルの映像信号と、（２）ＯＳＤ（On Screen Display）信号生成部１５７で生成されるＯＳＤ信号と、（３）データ放送による画像データと、（４）制御部１６１により生成されたＥＰＧ，字幕信号とを合成して映像処理部１５８へ出力する機能を有する。
【００２９】
また、字幕放送による字幕を表示するとき、グラフィック処理部１５４は、制御部１６１からの制御による字幕情報に基づき、映像信号上に字幕情報を重畳する処理を行う。
【００３０】
グラフィック処理部１５４から出力されたデジタルの映像信号は、映像処理部１５８に供給される。この映像処理部１５８は、入力されたデジタルの映像信号を、前記映像表示器１１４で表示可能なフォーマットのアナログ映像信号に変換した後、映像表示器１１４に出力して映像表示させるとともに、出力端子１５９を介して外部に導出させる。
【００３１】
また、上記音声処理部１５５は、入力されたデジタルの音声信号を、スピーカ１１５で再生可能なフォーマットのアナログ音声信号に変換した後、スピーカ１１５に出力して音声再生させるとともに、出力端子１６０を介して外部に導出させる。
【００３２】
ここで、このデジタルテレビジョン放送受信装置１１１は、上記した各種の受信動作を含むその全ての動作を制御部１６１によって統括的に制御されている。この制御部１６１は、ＣＰＵ（Central Processing Unit）等を内蔵しており、操作部１１６からの操作情報を受け、または、リモートコントローラ１１７から送出された操作情報を、受光部１１８を介して受信し、その操作内容が反映されるように各部をそれぞれ制御している。
【００３３】
この場合、制御部１６１は、主として、そのＣＰＵが実行する制御プログラムを格納したＲＯＭ（Read Only Memory）１６１ａと、該ＣＰＵに作業エリアを提供するＲＡＭ（Random Access Memory）１６１ｂと、各種の設定情報及び制御情報等が格納される不揮発性メモリ１６１ｃとを利用している。
【００３４】
また、この制御部１６１は、カードＩ／Ｆ（Interface）１６５を介して、第１のメモリカード１１９が装着可能なカードホルダ１６６に接続されている。これによって、制御部１６１は、カードホルダ１６６に装着された第１のメモリカード１１９と、カードＩ／Ｆ１６５を介して情報伝送することができる。
【００３５】
さらに、上記制御部１６１は、カードＩ／Ｆ１６７を介して、第２のメモリカード１２０が装着可能なカードホルダ１６８に接続されている。これにより、制御部１６１は、カードホルダ１６８に装着された第２のメモリカード１２０と、カードＩ／Ｆ１６７を介して情報伝送することができる。
【００３６】
昨今、映像機器やスマートフォンとテレビジョン受信装置との接続は、デジタルでの伝送方式が主流となっている。テレビジョン受信装置と映像機器（ＤＶＤレコーダやＨＤＤレコーダ等）との接続には、ＨＤＭＩ（High-Definition Multimedia Interface）が採用されている。テレビジョン受信装置とスマートフォンとの接続には、ＭＨＬ（Mobile High-definition Link）が採用されている。
【００３７】
現在、MHL対応スマートフォンがテレビジョン受信装置に映像を表示させたい場合、多くはスマートフォンのmicroUSB端子より出力されるＭＨＬ信号を、ＭＨＬ−ＨＤＭＩ変換アダプターを使ってＨＤＭＩ規格に沿った信号に変換してからテレビジョン受信装置に供給する方式をとる。テレビジョン受信装置は、この入力されたＨＤＭＩ規格の信号の処理をすることでスマートフォンの映像を表示することを実現している。
【００３８】
最近、一部のデジタルテレビジョン放送受信装置は、ＨＤＭＩ／ＭＨＬを共用して使うことができるＨＤＭＩ／ＭＨＬ共用端子１２１を備えるものが出てきている。このＨＤＭＩ／ＭＨＬ共用端子１２１の端子の物理的形状はＨＤＭＩ規格による形状であり、映像機器（ＤＶＤレコーダやＨＤＤレコーダ等）からＨＤＭＩ規格に沿った信号が入力される他、MHL対応スマートフォンからＭＨＬ対応ＭＨＬケーブル（ディスプレイ側の端子の物理的形状はＨＤＭＩ）が用いられてＭＨＬ信号が入力される。例えば、このようなＨＤＭＩ／ＭＨＬ共用端子１２１を備えたテレビとしては、当社製、欧州向け液晶テレビ（型番：５５ＷＬ８６３Ｇ）や、シャープ（株）製、日本向け地上・ＢＳ・１１０度ＣＳデジタルハイビジョン液晶テレビ、型番：ＬＣ４６Ｗ９、２０１３年２月発売等が存在している。
【００３９】
これらのデジタルテレビジョン放送受信装置は、ＨＤＭＩ／ＭＨＬ共用端子１２１から入力された信号がＨＤＭＩ規格に沿ったものである場合には、ＨＤＭＩ規格に沿って信号処理を行ない表示するための映像を作成し、ＨＤＭＩ／ＭＨＬ共用端子１２１から入力された信号がＨＤＭＩ規格に沿ったものではなくＭＨＬ規格に沿ったものである場合には、内部でＭＨＬ規格に応じた処理を行ない表示するための映像を作成する。
【００４０】
この実施形態のデジタルテレビジョン放送受信装置１１１も、上記したＨＤＭＩ／ＭＨＬ共用端子１２１を備えているものとして説明をする。
【００４１】
上記制御部１６１は、通信Ｉ／Ｆ１６９を介してＨＤＭＩ／ＭＨＬ共用端子１２１に接続されている。これにより、制御部１６１は、ＨＤＭＩ／ＭＨＬ共用端子１２１に接続されたＤＶＤレコーダやＨＤＤレコーダやスマートフォン等と、通信Ｉ／Ｆ１６９を介して情報伝送することができる。
【００４２】
通信Ｉ／Ｆ１６９としては、例えば米国シリコンイメージ社（Ｓｉｌｉｃｏｎ  Ｉｍａｇｅ  Ｉｎｃ．）製のＨＤＭＩ／ＭＨＬ  Ｐｏｒｔ  Ｐｒｏｃｅｓｓｏｒ（型番：ＳｉＩ９３８１Ａ）を用いればよい。このプロセッサは、ＨＤＭＩ信号／ＭＨＬ信号の両方に対応したチップであり、入力された信号のフォーマットがＨＤＭＩ信号なのか、或いはＭＨＬ信号なのかを検出する機能についても有している。制御部１６１は、このプロセッサ（通信Ｉ／Ｆ１６９）からの検出結果を受け、入力された信号のフォーマットがＨＤＭＩ信号なのか、或いはＭＨＬ信号なのかを知ることができる。
【００４３】
図２は、本実施形態の特徴部を説明するための図である。本実施形態の説明にあたっては、合計９つの表示形態があるものとして説明する。
【００４４】
映像機器（ＤＶＤレコーダやＨＤＤレコーダ等）から出力された映像を表示するために設計された表示形態として表示形態１〜５が設けられている。
【００４５】
スマートフォンが横置きされた場合に用いる表示形態として表示形態６が設けられている。
【００４６】
スマートフォンが縦置きされた場合に用いる表示形態として、表示形態７〜９が設けられている。
【００４７】
なお、表示形態の具体的な値は一例であり、実施形態の中で用いている値に限定するものではない。
【００４８】
ＨＤＭＩ／ＭＨＬ共用端子１２１を介してデジタルテレビジョン放送受信装置１１１に供給されたＨＤＭＩ信号、或いはＭＨＬ信号は、ＨＤＭＩ／ＭＨＬ検出部２０１ａとＨＤＭＩ変換部２０１ｂに供給される。この図２のＨＤＭＩ／ＭＨＬ検出部２０１ａとＨＤＭＩ変換部２０１ｂとを合わせた符号２０１は、図１では通信Ｉ／Ｆ１６９に相当する。ＨＤＭＩ／ＭＨＬ検出部２０１ａとＨＤＭＩ変換部２０１ｂは、先に説明した米国シリコンイメージ社（Ｓｉｌｉｃｏｎ  Ｉｍａｇｅ  Ｉｎｃ．）製のＨＤＭＩ／ＭＨＬ  Ｐｏｒｔ  Ｐｒｏｃｅｓｓｏｒ（型番：ＳｉＩ９３８１Ａ）を用いた機能ブロックである。
【００４９】
ＨＤＭＩとＭＨＬでは信号フォーマットが異なるのでこれを検出する必要がある。ＨＤＭＩ／ＭＨＬ検出部２０１ａは、ＨＤＭＩ／ＭＨＬ共用端子１２１を介してデジタルテレビジョン放送受信装置１１１に供給された信号が、ＨＤＭＩ信号なのか、或いはＭＨＬ信号なのかを検出し、この検出結果をＨＤＭＩ変換部２０１ｂ，フォーマット変換部２０２および選択部２５０に供給する。ＨＤＭＩ変換部２０１ｂは、ＨＤＭＩ／ＭＨＬ検出部２０１ａから入力された検出結果に応じて信号を変換してフォーマット変換部２０２へ供給する。ＨＤＭＩ変換部２０１ｂは、ＨＤＭＩ／ＭＨＬ共用端子１２１へ入力された信号がＨＤＭＩ信号であれば、このＨＤＭＩ信号をスルーしてフォーマット変換部２０２へ供給し、ＭＨＬ信号であれば、ＭＨＬ信号をＨＤＭＩフォーマットに変換した信号をフォーマット変換部２０２へ供給する。
【００５０】
上記の結果、ＨＤＭＩ変換部２０１ｂからフォーマット変換部２０２へ出力される信号はＨＤＭＩ信号に統一される。フォーマット変換部２０２は、ＨＤＭＩ／ＭＨＬ検出部２０１ｂから入力されたＨＤＭＩ信号をＨＤＭＩ規格に沿ってフォーマット変換処理を行うことによりデジタル映像データとデジタル音声データに変換する。フォーマット変換部２０２は、得られたデジタル映像データを黒帯検出部２０３とスケーラ２０４に出力する。なお、この発明は音声に関わる発明ではないため、図２では、図１で記載していたデジタル音声データの処理に関しては説明を省略する。
【００５１】
ＤＶＤプレーヤ等の映像機器（映像ソース機器）は、映像ソースを受信するシンク機器（例えば映像表示器１１４）が対応する機能や性能に関する情報が収録されたデータセットであるＥＤＩＤデータ（Extended Display Identification Data：拡張ディスプレイ識別データ）をシンク機器内に格納されているメモリから読み込むことで、シンク機器が対応しているフォーマットの映像信号を出力する。
【００５２】
通常、映像信号を１６：９ワイド画面に映す場合に行なわれる表示方式としては一般に、（１）サイドパネル方式、（２）上下カット、（３）アナモフィックの３つの表示方式がとられることが多い（実際には他の種類としては中間方式等がある）。（１）サイドパネル方式（ピラーボックス方式）とは、アスペクト比４：３の映像をセンターに配置して両袖に余白（一般的には黒余白）を追加してアスペクト比１６：９の映像にすること。元の映像の縦横の比は崩れない。（２）上下カットとは、アスペクト比４：３の映像を左右に余白ができないようにズームすると共に、上下両端をカットすることで、アスペクト比１６：９に合わせる方法。元の映像の縦横の比は崩れない。（３）アナモフィックとは、アスペクト比４：３の映像を左右に引き伸ばして、アスペクト比１６：９の映像とすること。元の映像の縦横の比は崩れてしまい、横長となる。
【００５３】
この実施形態では図３（ｂ）に示す通り、ＤＶＤプレーヤ等の映像機器は、アスペクト比１６：９の映像表示器１１４が接続された際、アスペクト比４：３のコンテンツについてはサイドパネル方式でアスペクト比１６：９のコンテンツを作成し、ＨＤＭＩ経由で映像表示器１１４へ出力するものとする。
【００５４】
また、この実施形態では図４（ｂ）に示す通り、スマートフォンは、アスペクト比１６：９の映像表示器１１４が接続された際、アスペクト比９：１６の縦長のコンテンツについてはサイドパネル方式でアスペクト比１６：９のコンテンツを作成し、ＭＨＬ経由で映像表示器１１４へ出力するものとする。
【００５５】
黒帯検出部２０３は、フォーマット変換部２０２から入力されたデジタル映像データ（ＨＤＭＩまたはＭＨＬで入力された映像データ）に、図３（ｂ）や図４（ｂ）サイドパネルの黒帯部が含まれているか否かを検出し、この検出結果を選択部２４０に出力する。なお、サイドパネルの黒帯部の検出方法としては周知の技術を用いればよく、簡易的な方法としてはデジタル映像データの左右の所定エリアが時間方向でみて連続して黒の信号であるか否かを検出する方法を用いることにより実現することができる。
【００５６】
これら図２のフォーマット変換部２０２、黒帯検出部２０３、スケーラ２０４は、例えば図１では信号処理部１４７がもつ機能ブロックである。
【００５７】
映像機器（ＤＶＤレコーダやＨＤＤレコーダ等）用に設計された表示形態用の表示形態設定情報が記憶された第１のテーブル２１０には、この実施形態では例えば５つの表示形態設定情報２１１〜２１５が格納されている。この表示形態設定情報２１１〜２１５は、実際には不揮発性メモリに格納される。図３（ａ）と図３（ｂ）は、各表示形態の表示イメージを示す図である。
【００５８】
表示形態１は、映像機器（ＤＶＤレコーダやＨＤＤレコーダ等）からのアスペクト比が１６：９のコンテンツ３０１を、オーバースキャンすることなく、画面いっぱいに表示する表示形態である。この表示形態１の表示を行うための情報が第１のテーブル２１０内の表示形態設定情報２１１である。この表示形態設定情報２１１は選択部２１６に供給される。
【００５９】
表示形態２は、映像機器（ＤＶＤレコーダやＨＤＤレコーダ等）からのアスペクト比が１６：９のコンテンツ３０１を水平、および垂直に若干拡大し、オーバースキャンを行いながら、画面いっぱいに表示する表示形態である。この表示形態２の表示を行うための情報がテーブル２１０内の表示形態設定情報２１２である。この表示形態設定情報２１２は選択部２１６に供給される。
【００６０】
表示形態３、４、５を得るためには、アスペクト比が４：３のコンテンツ３０２が一旦アスペクト１６：９のコンテンツ３０３に変換される。この変換は、シンク機器である映像表示器１１４のアスペクト比（１６：９）に合わせて映像機器（ＤＶＤレコーダやＨＤＤレコーダ等）が変換する。この実施形態では、ＤＶＤプレーヤの設定により例えばサイドパネル方式（ピラーボックス方式）で変換されている例を示している。
【００６１】
表示形態３は、映像機器（ＤＶＤレコーダやＨＤＤレコーダ等）からのアスペクト比が４：３のコンテンツ３０２を水平方向に縮め、垂直方向に若干拡大し、１６：９の画面に４：３の形状でオーバースキャンを行なって表示する表示形態である。この表示形態３の表示を行うための情報がテーブル２１０内の表示形態設定情報２１３である。この表示形態設定情報２１３は選択部２１６に供給される。この表示形態３では、コンテンツの左右には黒無画部分（サイドパネル）が付加される。
【００６２】
表示形態４は、映像機器（ＤＶＤレコーダやＨＤＤレコーダ等）からのアスペクト比が４：３のコンテンツ３０２を水平、および垂直方向に若干拡大し、オーバースキャンを行いながら、１６：９の画面いっぱいに表示する表示形態である。この表示形態４の表示を行うための情報がテーブル２１０内の表示形態設定情報２１４である。この表示形態設定情報２１４は選択部２１６に供給される。
【００６３】
表示形態５は、映像機器（ＤＶＤレコーダやＨＤＤレコーダ等）からのアスペクト比が４：３のコンテンツ３０２の上下に設けられた黒帯部分を切り取り、垂直方向の画面中央部分のみを１６：９の形状で表示する表示形態である。この表示形態５の表示を行うための情報がテーブル２１０内の表示形態設定情報２１５である。この表示形態設定情報２１５は選択部２１６に供給される。
【００６４】
上記表示形態１〜５の５つの表示形態は、映像機器（ＤＶＤレコーダやＨＤＤレコーダ等）から出力されるコンテンツが１６：９或いは４：３であるという特徴に基いて設計された表示形態である。
【００６５】
選択部２１６は、黒帯検出部２０３の検出結果がサイドパネルによる黒帯が存在しないことを検出した場合、１６：９のコンテンツとして第１のテーブル２１０内の表示形態設定情報２１１を選択し、この選択した表示形態情報を選択部２５０へ出力する。
【００６６】
また、選択部２１６は、黒帯検出部２０３の検出結果がサイドパネルによる黒帯が存在した場合、４：３のコンテンツとして第１のテーブル２１０内の表示形態設定情報２１３を選択し、この選択した表示形態情報を選択部２５０へ出力する。
【００６７】
図５（ａ）は、映像機器（ＤＶＤレコーダやＨＤＤレコーダ等）からのアスペクト比が１６：９のコンテンツを、ユーザがどう表示させたいのか設定するための設定用メニューの一例を示す図である。予めユーザは図５（ａ）に示す設定用メニューを表示させ、例えばユーザの好みによって図５（ａ）に示す通り表示形態１にフォーカスを合わせてリモートコントローラの決定ボタンを押下することにより、表示形態１が設定されたことが選択部２１６内の不揮発性メモリ等に記憶される。画面内に、ユーザの操作をサポートするために、操作方法や表示パターを説明するメッセージが表示されてもよい。
【００６８】
選択部２１６は表示形態設定情報２１１を選択して選択部２５０へ出力する。
【００６９】
図５（ｂ）は、映像機器（ＤＶＤレコーダやＨＤＤレコーダ等）からのアスペクト比が４：３のコンテンツを、ユーザがどう表示させたいのか設定するための設定用メニューの一例を示す図である。予めユーザは図５（ｂ）に示す設定用メニューを表示させ、例えばユーザの好みによって図５（ｂ）に示す通り表示形態３にフォーカスを合わせてリモートコントローラの決定ボタンを押下することにより、表示形態３が設定されたことが選択部２１６内の不揮発性メモリ等に記憶される。この場合も画面内に、ユーザの操作をサポートするために、操作方法や表示パターを説明するメッセージが表示されてもよい。
【００７０】
選択部２１６は表示形態設定情報２１３を選択して選択部２５０へ出力する。
【００７１】
選択部２５０は、映像機器（ＤＶＤレコーダやＨＤＤレコーダ等）からのアスペクト比が１６：９のとき図５（ａ）で設定された表示形態の表示形態設定情報（上記した設定の例では表示形態１の表示形態設定情報２１１）を、アスペクト比が４：３のとき図５（ｂ）で設定された表示形態の表示形態設定情報（上記した設定の例では表示形態３の表示形態設定情報２１３）を選択し、選択部２５０へ出力する。
【００７２】
スマートフォンが横置きされた場合用に設計された表示形態用の表示形態設定情報が記憶された第２のテーブル２２０には、この実施形態では例えば１つの表示形態設定情報２２１が格納されている。この表示形態設定情報２２１は、実際には不揮発性メモリに格納される。図４（ａ）に、表示形態の表示イメージを示す。
【００７３】
表示形態６は、表示形態１と同じであり、横置き状態のスマートフォン４００から出力される１６：９の横長映像４０１を、オーバースキャンすることなく表示する表示形態である。この表示形態６の表示を行うための情報が第２のテーブル２２０内の表示形態設定情報２２１である。この表示形態設定情報２２１は、実際には不揮発性メモリに格納される。この表示形態設定情報２２１は選択部２４０に供給される。なお、この実施形態では１つの表示形態としたが、必要に応じて複数の表示形態を備えることも可能である。この場合は新たな表示形態情報を備え、かつ、どのような表示形態で表示をさせるかの選択部を追加で設けるようにすればよい。
【００７４】
スマートフォン４００が縦置きされた場合用に設計された表示形態用の表示形態設定情報が記憶された第３のテーブル２３０には、この実施形態では例えば３つの表示形態設定情報２３１〜２３３が格納されている。この表示形態設定情報２３１〜２３３は、実際には不揮発性メモリに格納される。図４（ｂ）に、各表示形態の表示イメージを示す。縦置きの場合、撮影された映像コンテンツ４０２はスマートフォンがもつアスペクト比９：１６の縦長であるが、最終的にスマートフォンから出力されるコンテンツはスマートフォン内にて変換がされるため、横置きのときと同様に横長のアスペクト比が１６：９であり、中央部分に縦長のスマートフォンの画面が挿入され、左右にはサイドパネルが配置されたものとなる（４０３）。スマートフォン４００は、シンク機器である映像表示器１１４のアスペクト比１６：９に合わせて、縦長のコンテンツ４０２をコンテンツ４０３のように変換する機能を有することができる。
【００７５】
表示形態７は、表示形態１および表示形態６と同じであり、縦置きされたスマートフォンから出力される映像をオーバースキャンすることなく表示する表示形態である。この表示形態７の表示を行うための情報が第３のテーブル２３０内の表示形態設定情報２３１である。この表示形態設定情報２３１は選択部２３４に供給される。この表示形態７の場合、左右に配置されたサイドパネルは、入力されたサイドパネル全てが表示される。このため映像表示器１１４の画面サイズに対して、表示されるスマートフォンの映像が占める割合は小さくなってしまうという欠点があるが、スマートフォンの画面に表示されている全ての情報を歪みなく表示することができる。
【００７６】
表示形態８は、水平方向のみを拡大して表示する表示形態である。この表示形態８の表示を行うための情報が第３のテーブル２３０内の表示形態設定情報２３２である。この表示形態設定情報２３２は選択部２３４に供給される。この表示形態８では、表示形態７と比較してスマートフォンの画面が占める割合がより大きくなるというメリットがあるが、本来の形状を維持することができず少し横長に歪んでしまうというデメリットがある。
【００７７】
表示形態９は、水平、垂直いずれの方向にも拡大する表示形態である。この表示形態９の表示を行うための情報が第３のテーブル２３０内の表示形態設定情報２３３である。この表示形態設定情報２３３は選択部２３４に供給される。元々、スマートフォンから供給されるコンテンツは、縦置きされたスマートフォンの垂直方向の上下の高さが１６：９の横長のアスペクト比の上下の高さと一致している。このため表示形態９では、垂直方向に拡大するにあたっては、スマートフォンの映像の上端、或いは下端、或いはその両方をカットして上下方向に拡大するので、例えばスマートフォンを縦置きにした状態で横長の映像コンテンツをスマートフォンに表示していたとき等に、その映像コンテンツのみをデジタルテレビジョン放送受信装置１１１の画面に大きく表示することができる。このときスマートフォンの画面内に表示される映像コンテンツの位置は、使用するアプリケーションによって垂直方向の位置に差異があるため、表示する位置はマニュアルで変更できるようにしておく必要がある。
【００７８】
選択部２３４は、図５（ａ）や（ｂ）と同様、図６に示す設定用メニューによって設定された表示形態の表示形態設定情報を選択し選択部２４０へ出力する。端子２３５に供給する表示形態９のための垂直位置情報は、視聴者が好みによってデジタルテレビジョン放送受信装置１１１のメニュー（いずれも、図示せず）を介して設定させる。
【００７９】
表示形態９に関しては、垂直位置を指定する必要があり、端子２３５によりその上下位置変更情報が供給され、デジタルテレビジョン放送受信装置１１１は上下位置変更情報に応じて図４（ｂ）の表示形態９’に示すように上下の表示位置を変更させる。この実施の形態では垂直方向に表示位置を変更する例としたが、これに限らず水平方向に表示位置を変更するものとしてもよい。
【００８０】
選択部２４０は、黒帯検出部２０３の検出結果に基づき、横置きとして検出した場合は第２のテーブル２２０の出力を、縦置きと検出した場合は第３のテーブル２３０の出力を選択し、この選択した表示形態情報を選択部２５０へ出力する。
【００８１】
選択部２５０は、ＨＤＭＩ／ＭＨＬ検出部２０１の検出結果に基づき、ＭＨＬと検出された場合は選択部２４０の出力を、ＨＤＭＩと検出された場合は第１のテーブル２１０の出力を選択し、この選択した表示形態情報をスケーラ２０４に出力する。
【００８２】
スケーラ２０４は、選択部２５０より入力された表示形態情報に基いて、フォーマット変換部２０２より入力されたデジタル映像データに対してスケーリング処理を施し、処理後の映像を映像表示器１１４へ出力する。
【００８３】
映像表示器１１４は、スケーラ２０４から入力された映像を表示する。
【００８４】
この結果、予め設定されたユーザの好みに応じた表示形態で表示を行うことができる。
【００８５】
ＨＤＭＩ／ＭＨＬ共用端子１２１にＨＤＭＩ信号が供給された場合は、映像機器（ＤＶＤレコーダやＨＤＤレコーダ等）用に設計された表示形態が、ＨＤＭＩ／ＭＨＬ共用端子１２１にスマートフォンからのＭＨＬ信号が供給された場合は、横置きの場合には横置き用に設計された表示形態が、縦置きの場合は縦置き用に設計された表示形態が自動的に選択され表示することができる。
【００８６】
スマートフォンをＴＶに接続して、スマートフォンの画面をテレビに表示する際、通常の映像機器（ＤＶＤレコーダやＨＤＤレコーダ等）から出力を表示することを前提に設計された表示形態だけでは、スマートフォン用の表示形態としては不十分である。
【００８７】
この発明は、スマートフォンの画面を表示するために設計された表示形態を新たに設け、更に、スマートフォンが接続された場合に、スマートフォンの縦置き／横置きを判別して、自動的にユーザが望む表示形態に切り替える。よって、ユーザは映像機器（ＤＶＤレコーダやＨＤＤレコーダ等）からの信号であれ、スマートフォンの画面映像であれ、手間なく、希望した映像サイズで視聴することが可能となる。
【００８８】
（他の実施形態）
上記の実施形態では、ＨＤＭＩ／ＭＨＬ共用端子１２１を用いてスマートフォンの映像をテレビジョン受信装置に表示する場合を想定した。
【００８９】
他の入力端子を用いる場合は、映像機器（ＤＶＤレコーダやＨＤＤレコーダ等）からの出力なのか、或いはスマートフォンからの出力なのかを判別できない。その場合は、入力信号が映像機器（ＤＶＤレコーダやＨＤＤレコーダ等）からの出力なのか、或いはスマートフォンからの出力なのかをデジタルテレビジョン放送受信装置１１１のメニューにて、マニュアルで設定するようにすればよい。この場合、映像機器（ＤＶＤレコーダやＨＤＤレコーダ等）と設定した場合は、映像機器（ＤＶＤレコーダやＨＤＤレコーダ等）用に設定された表示形態が使用され、スマートフォンと設定した場合は、スマートフォン用に設定された表示形態が使用され、かつ、スマートフォンの場合は、縦置き、横置きを検出して、適切な表示形態が使用される。
【００９０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図１】
0005802766.tif 000002
【図２】
0005802766.tif 000003
【図３】
0005802766.tif 000004
【図４】
0005802766.tif 000005
【図５】
0005802766.tif 000006
【図６】
0005802766.tif 000007